(57)【要約】      （修正有）【課題】ロッドを保持する手がロッドに直接に接触することを回避可能であり、且つ全体の見栄えが良くなる手工具を提供する。【解決手段】第１端１１と、第２端１２と、第１端と第２端の間に位置する連結段１３とを含み、連結段に外面環状溝１４が設けられ、連結段の外径がＤ１であり、第１端には、ワークを駆動する駆動ヘッドが形成されるロッド１０と、ロッドに対して回動可能であるように連結段に嵌め設けられ、内輪郭を有し、内輪郭に内面環状溝が設けられ、内面環状溝である保護スリーブ２０と、Ｃ字形を呈し、内面環状溝と外面環状溝の間に位置し、第１方向に第１幅を有し、第２方向に第２幅を有し、第１幅がＤ１を超えず、平常時に第２幅が内面環状溝の内径よりもやや大きく、且つ内面環状溝と外面環状溝の間に組付けられたときに、第２幅が内面環状溝の内径と同じになる弾性具３０とを備える。【選択図】図２
0003161550.tif 000002
【実用新案登録請求の範囲】
【請求項１】
第１端と、第２端と、前記第１端と前記第２端の間に位置する連結段と、を含み、
前記連結段には外面環状溝が設けられ、前記連結段の外径がＤ１であり、
前記第１端には、ワークを駆動する駆動ヘッドが形成されるロッドと、
前記ロッドに対して回動可能であるように前記連結段に嵌め設けられ、内輪郭を有し、前記内輪郭に内面環状溝が設けられ、前記内面環状溝の内径がＤ２である保護スリーブと、
Ｃ字形を呈し、前記内面環状溝と前記外面環状溝の間に位置し、第１方向に第１幅Ｗ１を有し、第２方向に第２幅Ｗ２を有し、Ｗ１がＤ１を超えず、平常時にＷ２がＤ２よりもやや大きく、且つ前記内面環状溝と前記外面環状溝の間に組付けられたときに、Ｗ２がＤ２と同じになる弾性具と、
を備えることを特徴とする、手工具。
【請求項２】
前記保護スリーブは、その顔色が前記ロッドの顔色と相違することを特徴とする、請求項１に記載の手工具。
【請求項３】
陽極処理により、前記保護スリーブの外面に顔色が付けられることを特徴とする、請求項２に記載の手工具。
【請求項４】
前記保護スリーブはアルミ合金で作製されたものであることを特徴とする、請求項３に記載の手工具。
【考案の詳細な説明】
【技術分野】
【０００１】
本考案は、手工具に関し、特に、ロッドと、前記ロッドに対して回動可能な保護スリーブと、を含む手工具に関するものである。
【背景技術】
【０００２】
従来の一部の手工具は、ロッドを有し、前記ロッドの一端に駆動ヘッドが設けられ、ユーザは、前記ロッドの軸心を中心として回転することにより、ワークを回転することができる。
【０００３】
しかしながら、上記の手工具を使用するときに、ユーザは、一方の手で前記ロッドを回転しながら、他方の手で前記ロッドを保持することが必要であり、そうしないと、回転しているときに前記ロッドが傾斜し易い。前記ロッドを保持するために、手が回転している前記ロッドを直接に接触するため、手と前記ロッドの摩擦により熱が発生し、そして機械効率（ｍｅｃｈａｎｉｃａｌ  ｅｆｆｉｃｉｅｎｃｙ）が降下する。
【考案の概要】
【考案が解決しようとする課題】
【０００４】
そこで、本考案の主な目的は、ロッドを保持する手がロッドに直接に接触することを回避可能であり、且つ保護スリーブの外面にロッドと相違する顔色を付けることができ、全体の見栄えが良くなる手工具を提供することにある。
【課題を解決するための手段】
【０００５】
本考案の手工具によると、第１端と、第２端と、前記第１端と前記第２端の間に位置する連結段と、を含み、前記連結段に外面環状溝が設けられ、前記連結段の外径がＤ１であり、前記第１端には、ワークを駆動する駆動ヘッドが形成されるロッドと、前記ロッドに対して回動可能であるように前記連結段に嵌め設けられ、内輪郭を有し、前記内輪郭に内面環状溝が設けられ、前記内面環状溝の内径がＤ２である保護スリーブと、Ｃ字形を呈し、前記内面環状溝と前記外面環状溝の間に位置し、第１方向に第１幅Ｗ１を有し、第２方向に第２幅Ｗ２を有し、Ｗ１がＤ１を超えず、平常時にＷ２がＤ２よりもやや大きく、且つ前記内面環状溝と前記外面環状溝の間に組付けられたときに、Ｗ２がＤ２と同じになる弾性具と、を備えることを特徴とする。
【考案の効果】
【０００６】
本考案の手工具によれば、ロッドを保持する手がロッドに直接に接触することを回避可能であり、且つ保護スリーブの外面にロッドと相違する顔色を付けることができ、全体の見栄えが良くなるという効果を有する。
【図面の簡単な説明】
【０００７】
【図１】本考案の実施例の組合済み状態の斜視図である。
【図２】本考案の実施例の分解斜視図である。
【図３】本考案の弾性具の模式図である。
【図４Ａ】本考案の実施例の組付方法を示す斜視図である。
【図４Ｂ】図４Ａの一部の拡大図である。
【図５Ａ】図４Ａの縦断面図である。
【図５Ｂ】図５ＡのＡ-Ａ線の断面図である。
【図６Ａ】図１の縦断面図である。
【図６Ｂ】図６ＡのＡ-Ａ線の断面図である。
【考案を実施するための形態】
【０００８】
以下、本考案の実施の形態を図面に基づいて説明する。
まず、図１及び図２を参照する。本考案の手工具は、ロッド１０と、保護スリーブ２０と、弾性具３０と、を含む。
【０００９】
前記ロッド１０は、第１端１１と、第２端１２と、前記第１端１１と前記第２端１２の間に位置する連結段１３と、を含む。前記連結段１３に外面環状溝１４が設けられ、前記連結段１３の外径がＤ１であり、前記第１端１１には、ワーク（例えばボルトなど）を駆動する駆動ヘッド１５が形成される。本実施例では、前記駆動ヘッド１５が多角形穴を呈している。もちろん、前記駆動ヘッド１５が多角形断面を有するロッドでもよい。回転手段により、前記ロッド１０はその軸心を中心として回転することができ、前記回転手段は、例えば、前記第２端１２に形成される別の駆動ヘッドである。本実施例では、前記回転手段が四角形断面を有するロッドであり、スパナにより前記回転手段を回転することができる。また、前記回転手段は、前記第２端１２に形成される握りロッドでもよい。前記握りロッドは、前記ロッド１０に垂直し、上記両者がＴ字形またはＬ字形を呈することが好ましい。前記握りロッドは、前記ロッド１０と一体成形されてもいいし、前記ロッド１０に脱着可能な別体に成形されてもよい。
【００１０】
前記保護スリーブ２０は、前記ロッド１０に対して回動可能に前記連結段１３に嵌め設けられ、内輪郭を有する。図５Ａに示すように、前記内輪郭に内面環状溝２１が設けられ、図６Ｂに示すように、前記内面環状溝２１の内径がＤ２である。前記保護スリーブ２０の少なくとも一部は、その顔色が前記ロッド１０の顔色と相違する。陽極処理により、前記保護スリーブ２０の外面に顔色を付けることができる。陽極処理を実施可能にするために、前記保護スリーブ２０はアルミ合金で作製されたものであることが好ましい。
【００１１】
図３に示すように、前記弾性具３０は、ほぼＣ字形を呈し、前記内面環状溝２１と前記外面環状溝１４の間に位置し、第１方向に第１幅Ｗ１を有し、第２方向に第２幅Ｗ２を有し、Ｗ１がＤ１を超えることなく、平常時にＷ２がＤ２よりもやや大きく、且つ前記弾性具３０が前記内面環状溝２１と前記外面環状溝１４の間に組付けられたときに、Ｗ２がＤ２と同じになる。
【００１２】
図５Ａ、図５Ｂ、図６Ａ及び図６Ｂを参照する。前記ロッド１０と前記保護スリーブ２０を組付けたいときには、図５Ａ及び図Ｂに示すように、前記外面環状溝１４に前記弾性具３０を嵌め込んで、前記連結段１３に前記保護スリーブ２０を嵌める。このとき、前記弾性具２０のＷ２がＤ２よりもやや大きいため、前記保護スリーブ２０に前記弾性具３０を深く進入するために、前記弾性具３０をややスクイーズすることが必要であり、前記内面環状溝２１と前記外面環状溝１４との端部が並ぶと、弾力により前記弾性具３０がやや拡張し、そうすると、Ｗ２がＤ２とほぼ同じになる。しかし、このとき、前記弾性具３０は、やや変形している状態にあるため、前記保護スリーブ２０に持続に押付け、そうすると、前記弾性具３０は前記内面環状溝２１と前記外面環状溝１４の間から離脱することができなくなり、且つ前記保護スリーブ２０が前記ロッド１０に対して回動可能である。
【００１３】
なお、本考案は前記実施例に限定されるものではなく、本考案の趣旨に基づいて種々変形させることが可能であり、それらを本考案の範囲から排除するものではない。
【産業上の利用可能性】
【００１４】
本考案は、手工具に適用することができる。
【符号の説明】
【００１５】
１０：ロッド、１１：第１端、１２：第２端、１３：連結段、１４：外面環状溝、１５：駆動ヘッド、２０：保護スリーブ、２１：内面環状溝、３０：弾性具、Ｄ１：外径、Ｄ２：内径、Ｗ１：第１幅、Ｗ２：第２幅。
【図１】
0003161550.tif 000003
【図２】
0003161550.tif 000004
【図３】
0003161550.tif 000005
【図４Ａ】
0003161550.tif 000006
【図４Ｂ】
0003161550.tif 000007
【図５Ａ】
0003161550.tif 000008
【図５Ｂ】
0003161550.tif 000009
【図６Ａ】
0003161550.tif 000010
【図６Ｂ】
0003161550.tif 000011
【手続補正書】
【提出日】平成22年5月27日(2010.5.27)
【手続補正１】
【補正対象書類名】実用新案登録請求の範囲
【補正対象項目名】全文
【補正方法】変更
【補正の内容】
【実用新案登録請求の範囲】
【請求項１】
第１端と、第２端と、前記第１端と前記第２端の間に位置する連結段と、を含み、
前記連結段には外面環状溝が設けられ、前記連結段の外径がＤ１であり、
前記第１端には、ワークを駆動する駆動ヘッドが形成されるロッドと、
前記ロッドに対して回動可能であるように前記連結段に嵌め設けられ、内輪郭を有し、前記内輪郭に内面環状溝が設けられ、前記内面環状溝の内径がＤ２である保護スリーブと、
Ｃ字形を呈し、前記内面環状溝と前記外面環状溝の間に位置し、第１方向に第１幅Ｗ１を有し、第２方向に第２幅Ｗ２を有し、Ｗ１がＤ１を超えず、平常時にＷ２がＤ２よりもやや大きく、且つ前記内面環状溝と前記外面環状溝の間に組付けられたときに、Ｗ２がＤ２と同じになる弾性具と、
を備えることを特徴とする、手工具。
【請求項２】
前記保護スリーブの色が前記ロッドの色と相違することを特徴とする、請求項１に記載の手工具。
【請求項３】
陽極処理により、前記保護スリーブの外面に色が付けられることを特徴とする、請求項２に記載の手工具。
【請求項４】
前記保護スリーブはアルミ合金で作製されたものであることを特徴とする、請求項３に記載の手工具。
【手続補正２】
【補正対象書類名】明細書
【補正対象項目名】０００４
【補正方法】変更
【補正の内容】
【０００４】
そこで、本考案の主な目的は、ロッドを保持する手がロッドに直接に接触することを回避可能であり、且つ保護スリーブの外面にロッドと相違する色を付けることができ、全体の見栄えが良くなる手工具を提供することにある。
【手続補正３】
【補正対象書類名】明細書
【補正対象項目名】０００６
【補正方法】変更
【補正の内容】
【０００６】
本考案の手工具によれば、ロッドを保持する手がロッドに直接に接触することを回避可能であり、且つ保護スリーブの外面にロッドと相違する色を付けることができ、全体の見栄えが良くなるという効果を有する。
【手続補正４】
【補正対象書類名】明細書
【補正対象項目名】００１０
【補正方法】変更
【補正の内容】
【００１０】
前記保護スリーブ２０は、前記ロッド１０に対して回動可能に前記連結段１３に嵌め設けられ、内輪郭を有する。図５Ａに示すように、前記内輪郭に内面環状溝２１が設けられ、図６Ｂに示すように、前記内面環状溝２１の内径がＤ２である。前記保護スリーブ２０の少なくとも一部の色が前記ロッド１０の色と相違する。陽極処理により、前記保護スリーブ２０の外面に色を付けることができる。陽極処理を実施可能にするために、前記保護スリーブ２０はアルミ合金で作製されたものであることが好ましい。